【手続補正書】
【提出日】平成22年12月20日(2010.12.20)
【手続補正１】
【補正対象書類名】特許請求の範囲
【補正対象項目名】全文
【補正方法】変更
【補正の内容】
【特許請求の範囲】
【請求項１】
外部の装置から送信された映像信号を入力する映像信号入力手段と、
前記映像信号入力手段により入力された映像信号に係る映像を表示装置に表示する表示手段と、
ユーザによるズーム操作を受け付けるユーザ操作受け付け手段と、
前記外部の装置との間で通信が可能な通信手段と、
前記ズーム操作に応じて、前記表示手段により表示している映像に係る映像信号に対するズーム処理が前記外部の装置において可能か否かを問い合わせる問い合わせコマンドを前記外部の装置に送信するように前記通信手段を制御する制御手段と
を備え、
前記制御手段は、
前記問い合わせの結果、前記外部の装置においてズーム処理が可能であった場合には、前記映像信号に対するズーム処理を要求するズーム要求コマンドを前記外部の装置に送信するように前記通信手段を制御すると共に、該ズーム要求コマンドに応じて前記外部の装置より送信されて前記映像信号入力手段により入力された映像信号に係る映像を表示するように前記表示手段を制御し、
前記問い合わせの結果、前記外部の装置においてズーム処理が不可能であった場合には、映像表示装置において前記映像信号にズーム処理を施して表示するよう前記表示手段を制御する
ことを特徴とする映像表示装置。
【請求項２】
外部の装置から送信された映像信号を入力する映像信号入力手段と、
前記映像信号入力手段により入力された映像信号に係る映像を表示装置に表示する表示手段と、
ユーザによるズーム操作を受け付けるユーザ操作受け付け手段と、
前記外部の装置との間で通信が可能な通信手段と、
前記ズーム操作に応じて、前記表示手段により表示している映像に係る映像信号に対するズーム処理を要求するズーム要求コマンドを前記外部の装置に送信するように前記通信手段を制御する制御手段と
を備え、
前記制御手段は、
前記ズーム要求コマンドに応じて前記外部の装置より送信されて前記映像信号入力手段により入力された映像信号に係る映像を表示するように前記表示手段を制御し、
前記ズーム要求コマンドの送信に対し、前記外部の装置から該ズーム要求コマンドによる処理が失敗した旨を示す通信がなされたら、前記映像信号に対して前記ズーム処理を施して表示するように前記表示手段を制御する
ことを特徴とする映像表示装置。
【請求項３】
外部の装置から送信された映像信号を入力する映像信号入力手段と、
前記映像信号入力手段により入力された映像信号に係る映像を表示装置に表示する表示手段と、
ユーザによるズーム操作を受け付けるユーザ操作受け付け手段と、
前記外部の装置との間で通信が可能な通信手段と、
前記外部の装置が前記通信手段により接続されたら、該外部の装置のズーム能力を示す情報を取得するための通信を前記通信手段により行い、前記ユーザ操作受け付け手段に前記ズーム操作が受け付けられた際に、前記ズーム能力を示す情報に基づきズーム要求コマンドを前記外部の装置に送信するように前記通信手段を制御する制御手段と
を有し、
前記制御手段は、
前記ユーザ操作受け付け手段に前記ズーム操作が受け付けられた際に、前記外部の装置の前記ズーム能力を示す情報が取得されており、且つ、該情報が該ズーム操作に応じたズーム処理が可能であることを示していれば、前記ズーム操作に応じて、前記表示手段により表示している映像に係る映像信号に対するズーム処理を要求するズーム要求コマンドを該外部の装置に送信し、該ズーム要求コマンドに応じて該外部の装置より送信されて前記映像信号入力手段により入力された映像信号に係る映像を表示するように前記表示手段を制御し、
前記ユーザ操作受け付け手段に前記ズーム操作が受け付けられた際に、前記外部の装置の前記ズーム能力を示す情報が取得されていないか、または、該情報が該ズーム操作に応じたズーム処理が不可能であることを示していれば、前記映像信号に対して前記ズーム処理を施して表示するように前記表示手段を制御する
ことを特徴とする映像表示装置。
【請求項４】
前記映像信号に対してズーム処理を施すズーム処理手段をさらに有し、
前記制御手段は、前記ズーム処理手段を用いて前記ズーム処理を行い、該ズーム処理を行った映像を前記表示手段により前記表示装置に表示させるように制御する
ことを特徴とする請求項１乃至請求項３の何れか１項に記載の映像表示装置。
【請求項５】
前記外部の装置から出力される映像信号は、前記表示装置の表示解像度よりも高い解像度の映像に係る映像信号である
ことを特徴とする請求項１乃至請求項４の何れか１項に記載の映像表示装置。
【請求項６】
前記制御手段は、
前記ユーザ操作受け付け手段が前記ズーム操作を受け付けた際に、前記表示手段に表示中の映像が前記映像信号入力手段から入力された映像信号に係る映像であるか否かを判定し、該表示手段に表示中の映像が前記映像信号入力手段から入力された映像信号に係る映像であると判定された場合に、前記ズーム要求コマンドを送信するように前記通信手段を制御する
ことを特徴とする請求項１乃至請求項５の何れか１項に記載の映像表示装置。
【請求項７】
外部の装置から送信された映像信号を入力する映像信号入力手段と、
前記映像信号入力手段により入力された映像信号に係る映像を表示装置に表示する表示手段と、
ユーザによるズーム操作を受け付けるユーザ操作受け付け手段と、
前記外部の装置との間で通信が可能な通信手段と
を備える映像表示装置の制御方法であって、
送信手段が、前記ズーム操作に応じて、前記表示手段により表示している映像に係る映像信号に対するズーム処理が前記外部の装置において可能か否かを問い合わせる問い合わせコマンドを前記外部の装置に送信する送信ステップと、
制御手段が、
前記送信ステップによる該問い合わせの結果、前記外部の装置においてズーム処理が可能であった場合には、前記映像信号に対するズーム処理を要求するズーム要求コマンドを送信するように前記通信手段を制御すると共に、該ズーム要求コマンドに応じて前記外部の装置より送信されて前記映像信号入力手段により入力された映像信号に係る映像を表示するように前記表示手段を制御し、
前記問い合わせの結果、前記外部の装置においてズーム処理が不可能であった場合には、前記映像表示装置において前記映像信号にズーム処理を施して表示するよう前記表示手段を制御する制御のステップと
を有する
ことを特徴とする映像表示装置の制御方法。
【請求項８】
外部の装置から送信された映像信号を入力する映像信号入力手段と、
前記映像信号入力手段により入力された映像信号に係る映像を表示装置に表示する表示手段と、
ユーザによるズーム操作を受け付けるユーザ操作受け付け手段と、
前記外部の装置との間で通信が可能な通信手段と
を備える映像表示装置の制御方法であって、
送信手段が、前記ズーム操作に応じて、前記表示手段により表示している映像に係る映像信号に対するズーム処理を要求するズーム要求コマンドを前記外部の装置に送信する送信ステップと、
制御手段が、
該ズーム要求コマンドに応じて前記外部の装置より送信されて前記映像信号入力手段により入力された映像信号に係る映像を表示するように前記表示手段を制御し、
前記ズーム要求コマンドの送信に対し、前記外部の装置から該ズーム要求コマンドによる処理が失敗した旨を示す通信がなされたら、前記映像信号に対して前記ズーム処理を施して表示するように前記表示手段を制御する制御のステップと
を有する
ことを特徴とする映像表示装置の制御方法。
【請求項９】
外部の装置から送信された映像信号を入力する映像信号入力手段と、
前記映像信号入力手段により入力された映像信号に係る映像を表示装置に表示する表示手段と、
ユーザによるズーム操作を受け付けるユーザ操作受け付け手段と、
前記外部の装置との間で通信が可能な通信手段と
を備える映像表示装置の制御方法であって、
制御手段が、前記外部の装置が前記通信手段により接続されたら、該外部の装置のズーム能力を示す情報を取得するための通信を前記通信手段により該外部の装置に対して行う通信ステップと、
前記制御手段が、
前記ユーザ操作受け付け手段により前記ズーム操作が受け付けられた際に、前記外部の装置の前記ズーム能力を示す情報が取得されており、且つ、該情報が該ズーム操作に応じたズーム処理が可能であることを示していれば、前記ズーム操作に応じて、前記表示手段により表示している映像に係る映像信号に対するズーム処理を要求するズーム要求コマンドを該外部の装置に送信し、該ズーム要求コマンドに応じて該外部の装置より送信されて前記映像信号入力手段により入力された映像信号に係る映像を表示するように前記表示手段を制御し、
前記ユーザ操作受け付け手段により前記ズーム操作が受け付けられた際に、前記外部の装置の前記ズーム能力を示す情報が取得されていないか、または、該情報が該ズーム操作に応じたズーム処理が不可能であることを示していれば、前記映像信号に対してズーム処理を施して表示するように前記表示手段を制御する制御のステップと
を有する
ことを特徴とする映像表示装置の制御方法。
【請求項１０】
映像信号に対してズーム処理を行うズーム処理手段を有し、映像信号を出力する映像出力装置と、
ユーザによるズーム操作を受け付けるユーザ操作受け付け手段と、
入力された映像信号に係る映像を表示装置に表示する表示手段と
を有する映像表示装置と、
前記映像出力装置から出力された映像信号を前記映像表示装置に送信する映像信号送信手段と、
前記映像出力装置と前記映像表示装置との間で通信が可能な通信手段と
を備え、
前記映像表示装置は、前記ズーム操作に応じて、前記表示手段により表示している映像に係る映像信号に対するズーム処理が前記映像出力装置において可能か否かを問い合わせる問い合わせコマンドを、前記通信手段を介して前記映像出力装置に送信し、
前記映像出力装置は、前記問い合わせコマンドを受信したら、該問い合わせコマンドに応じて前記ズーム処理が映像出力装置において可能か否かを示す情報を、前記通信手段を介して前記映像表示装置に送信し、
前記映像表示装置は、前記ズーム処理が映像出力装置において可能か否かを示す情報を受信したら、該情報が前記映像出力装置においてズーム処理が可能であることを示していた場合、前記映像信号に対するズーム要求コマンドを、前記通信手段を介して前記映像出力装置に送信し、
前記映像出力装置は、前記ズーム要求コマンドを受信したら、該ズーム要求コマンドに応じて前記ズーム処理手段により前記映像信号に対して前記ズーム処理を行って、該ズーム処理を行った該映像信号を、前記映像信号送信手段を介して前記映像表示装置に送信し、
前記映像表示装置は、前記映像信号送信手段を介して受信された前記ズーム処理を行った映像信号に係る映像を前記表示手段に表示する
ことを特徴とする映像表示システム。
【請求項１１】
映像信号に対してズーム処理を行うズーム処理手段を有し、映像信号を出力する映像出力装置と、
ユーザによるズーム操作を受け付けるユーザ操作受け付け手段と、
入力された映像信号に係る映像を表示装置に表示する表示手段と
を有する映像表示装置と、
前記映像出力装置から出力された映像信号を前記映像表示装置に送信する映像信号送信手段と、
前記映像出力装置と前記映像表示装置との間で通信が可能な通信手段と
を備え、
前記映像表示装置は、前記ズーム操作に応じて、前記表示手段により表示している映像に係る映像信号に対するズーム処理を要求するズーム要求コマンドを、前記通信手段を介して前記映像出力装置に送信し、
前記映像出力装置は、前記ズーム要求コマンドを受信したら、該ズーム要求コマンドに応じて前記ズーム処理手段により前記映像信号に対して前記ズーム処理を行い該ズーム処理が成功したら該ズーム処理を行った該映像信号を、前記映像信号送信手段を介して前記映像表示装置に送信し、該ズーム処理が失敗したらその旨を示す通信を前記通信手段により前記映像表示装置に対して行い、
前記映像表示装置は、前記映像信号送信手段を介して受信された、前記ズーム要求コマンドに応じて前記ズーム処理を行った映像信号に係る映像を表示するように前記表示手段を制御し、前記ズーム要求コマンドの送信に対し、前記通信手段により前記ズーム処理が失敗した旨を示す通信がなされたら、前記映像信号に対して前記ズーム処理を施して表示するように前記表示手段を制御する
ことを特徴とする映像表示システム。
【請求項１２】
映像信号に対してズーム処理を行うズーム処理手段を有し、映像信号を出力する映像出力装置と、
ユーザによるズーム操作を受け付けるユーザ操作受け付け手段と、
入力された映像信号に係る映像を表示装置に表示する表示手段と
を有する映像表示装置と、
前記映像出力装置から出力された映像信号を前記映像表示装置に送信する映像信号送信手段と、
前記映像出力装置と前記映像表示装置との間で通信が可能な通信手段と
を備え、
前記映像表示装置は、前記映像出力装置が前記通信手段により接続されたら、該映像出力装置のズーム能力を示す情報を取得するための通信を前記通信手段により該映像出力装置に対して行い、
前記映像出力装置は、前記ズーム能力を有していれば、前記通信に応じて前記ズーム能力を示す情報を、前記通信手段を介して前記映像表示装置に対して送信し、
前記映像表示装置は、前記ユーザ操作受け付け手段に前記ズーム操作が受け付けられた際に、前記映像出力装置の前記ズーム能力を示す情報が取得されており、且つ、該情報が該ズーム操作に応じたズーム処理が可能であることを示していれば、前記ズーム操作に応じて、前記表示手段により表示している映像に係る映像信号に対するズーム処理を要求するズーム要求コマンドを該映像出力装置に送信し、前記映像信号送信手段を介して受信された、前記ズーム要求コマンドに応じて前記ズーム処理を行った映像信号に係る映像を表示するように前記表示手段を制御し、
前記ユーザ操作受け付け手段に前記ズーム操作が受け付けられた際に、前記映像出力装置の前記ズーム能力を示す情報が取得されていないか、または、該情報が該ズーム操作に応じたズーム処理が不可能であることを示していれば、前記映像信号に対して前記ズーム処理を施して表示するように前記表示手段を制御する
ことを特徴とする映像表示システム。
【請求項１３】
前記映像表示装置は、
前記映像信号に対してズーム処理を施す他のズーム処理手段をさらに有し、
前記映像表示装置において前記映像信号に対して前記ズーム処理を施す場合に、前記他のズーム処理手段を用いて前記ズーム処理を行い、該ズーム処理を行った映像を前記表示手段に表示するように制御する
ことを特徴とする請求項１０乃至請求項１２の何れか１項に記載の映像表示システム。
【請求項１４】
前記映像表示装置は、所定の解像度で前記表示手段による映像の表示を行い、
前記映像出力装置は、前記所定の解像度よりも高い解像度を持つ映像信号に対して前記ズーム処理手段による前記ズーム処理を行う
ことを特徴とする請求項１０乃至請求項１３の何れか１項に記載の映像表示システム。
【請求項１５】
映像信号に対してズーム処理を行うズーム処理手段を有し、映像信号を出力する映像出力装置と、
ユーザによるズーム操作を受け付けるユーザ操作受け付け手段と、
入力された映像信号に係る映像を表示装置に表示する表示手段と
を有する映像表示装置と、
前記映像出力装置から出力された映像信号を前記映像表示装置に送信する映像信号送信手段と、
前記映像出力装置と前記映像表示装置との間で通信が可能な通信手段と
を備えた映像表示システムの映像表示制御方法であって、
前記映像表示装置は、前記ズーム操作に応じて、前記表示手段により表示している映像に係る映像信号に対するズーム処理が前記映像出力装置において可能か否かを問い合わせる問い合わせコマンドを、前記通信手段を介して前記映像出力装置に送信し、
前記映像出力装置は、前記問い合わせコマンドを受信したら、該問い合わせコマンドに応じて前記ズーム処理が映像出力装置において可能か否かを示す情報を、前記通信手段を介して前記映像表示装置に送信し、
前記映像表示装置は、前記ズーム処理が映像出力装置において可能か否かを示す情報を受信したら、該情報が前記映像出力装置においてズーム処理が可能であることを示していた場合、前記映像信号に対するズーム要求コマンドを、前記通信手段を介して前記映像出力装置に送信し、
前記映像出力装置は、前記ズーム要求コマンドを受信したら、該ズーム要求コマンドに応じて前記ズーム処理手段により前記映像信号に対して前記ズーム処理を行って、該ズーム処理を行った該映像信号を、前記映像信号送信手段を介して前記映像表示装置に送信し、
前記映像表示装置は、前記映像信号送信手段を介して受信された前記ズーム処理を行った映像信号を前記表示手段に表示する
ことを特徴とする映像表示制御方法。
【請求項１６】
映像信号に対してズーム処理を行うズーム処理手段を有し、映像信号を出力する映像出力装置と、
ユーザによるズーム操作を受け付けるユーザ操作受け付け手段と、
入力された映像信号に係る映像を表示装置に表示する表示手段と
を有する映像表示装置と、
前記映像出力装置から出力された映像信号を前記映像表示装置に送信する映像信号送信手段と、
前記映像出力装置と前記映像表示装置との間で通信が可能な通信手段と
を備えた映像表示システムの映像表示制御方法であって、
前記映像表示装置は、前記ズーム操作に応じて、前記表示手段により表示している映像に係る映像信号に対するズーム処理を要求するズーム要求コマンドを、前記通信手段を介して前記映像出力装置に送信し、
前記映像出力装置は、前記ズーム要求コマンドを受信したら、該ズーム要求コマンドに応じて前記ズーム処理手段により前記映像信号に対して前記ズーム処理を行い該ズーム処理が成功したら該ズーム処理を行った該映像信号を、前記映像信号送信手段を介して前記映像表示装置に送信し、該ズーム処理が失敗したらその旨を示す通信を前記通信手段により該映像表示装置に対して行い、
前記映像表示装置は、前記映像信号送信手段を介して受信された、前記ズーム要求コマンドに応じて前記ズーム処理を行った映像信号に係る映像を表示するように前記表示手段を制御し、前記ズーム要求コマンドの送信に対し、前記通信手段により前記ズーム処理が失敗した旨を示す通信がなされたら、前記映像信号に対してズーム処理を施して表示するように前記表示手段を制御する
ことを特徴とする映像表示制御方法。
【請求項１７】
映像信号に対してズーム処理を行うズーム処理手段を有し、映像信号を出力する映像出力装置と、
ユーザによるズーム操作を受け付けるユーザ操作受け付け手段と、
入力された映像信号に係る映像を表示装置に表示する表示手段と
を有する映像表示装置と、
前記映像出力装置から出力された映像信号を前記映像表示装置に送信する映像信号送信手段と、
前記映像出力装置と前記映像表示装置との間で通信が可能な通信手段と
を備えた映像表示システムの映像表示制御方法であって、
前記映像表示装置は、前記映像出力装置が前記通信手段により接続されたら、該映像出力装置のズーム能力を示す情報を取得するための通信を前記通信手段により該映像出力装置に対して行い、
前記映像出力装置は、前記ズーム能力を有していれば、前記通信に応じて前記ズーム能力を示す情報を、前記通信手段を介して前記映像表示装置に対して送信し、
前記映像表示装置は、前記ユーザ操作受け付け手段に前記ズーム操作が受け付けられた際に、前記映像出力装置の前記ズーム能力を示す情報が取得されており、且つ、該情報が該ズーム操作に応じたズーム処理が可能であることを示していれば、前記ズーム操作に応じて、前記表示手段により表示している映像に係る映像信号に対するズーム処理を要求するズーム要求コマンドを該映像出力装置に対して送信し、前記映像信号送信手段を介して受信された、前記ズーム要求コマンドに応じて前記ズーム処理を行った映像信号に係る映像を表示するように前記表示手段を制御し、
前記ユーザ操作受け付け手段に前記ズーム操作が受け付けられた際に、前記映像出力装置の前記ズーム能力を示す情報が取得されていないか、または、該情報が該ズーム操作に応じたズーム処理が不可能であることを示していれば、前記映像信号に対してズーム処理を施して表示するように前記表示手段を制御する
ことを特徴とする映像表示制御方法。
【手続補正２】
【補正対象書類名】明細書
【補正対象項目名】００１４
【補正方法】変更
【補正の内容】
【００１４】
上述した課題を解決するために、第１の発明は、外部の装置から送信された映像信号を入力する映像信号入力手段と、映像信号入力手段により入力された映像信号に係る映像を表示装置に表示する表示手段と、ユーザによるズーム操作を受け付けるユーザ操作受け付け手段と、外部の装置との間で通信が可能な通信手段と、ズーム操作に応じて、表示手段により表示している映像に係る映像信号に対するズーム処理が外部の装置において可能か否かを問い合わせる問い合わせコマンドを外部の装置に送信するように通信手段を制御する制御手段とを備え、制御手段は、問い合わせの結果、外部の装置においてズーム処理が可能であった場合には、映像信号に対するズーム処理を要求するズーム要求コマンドを外部の装置に送信するように通信手段を制御すると共に、ズーム要求コマンドに応じて外部の装置より送信されて映像信号入力手段により入力された映像信号に係る映像を表示するように表示手段を制御し、問い合わせの結果、外部の装置においてズーム処理が不可能であった場合には、映像表示装置において映像信号にズーム処理を施して表示するよう表示手段を制御することを特徴とする映像表示装置である。
【手続補正３】
【補正対象書類名】明細書
【補正対象項目名】００１５
【補正方法】変更
【補正の内容】
【００１５】
また、第２の発明は、外部の装置から送信された映像信号を入力する映像信号入力手段と、映像信号入力手段により入力された映像信号に係る映像を表示装置に表示する表示手段と、ユーザによるズーム操作を受け付けるユーザ操作受け付け手段と、外部の装置との間で通信が可能な通信手段と、ズーム操作に応じて、表示手段により表示している映像に係る映像信号に対するズーム処理を要求するズーム要求コマンドを外部の装置に送信するように通信手段を制御する制御手段とを備え、制御手段は、ズーム要求コマンドに応じて外部の装置より送信されて映像信号入力手段により入力された映像信号に係る映像を表示するように表示手段を制御し、ズーム要求コマンドの送信に対し、外部の装置からズーム要求コマンドによる処理が失敗した旨を示す通信がなされたら、映像信号に対してズーム処理を施して表示するように表示手段を制御することを特徴とする映像表示装置である。
【手続補正４】
【補正対象書類名】明細書
【補正対象項目名】００１６
【補正方法】変更
【補正の内容】
【００１６】
また、第３の発明は、外部の装置から送信された映像信号を入力する映像信号入力手段と、映像信号入力手段により入力された映像信号に係る映像を表示装置に表示する表示手段と、ユーザによるズーム操作を受け付けるユーザ操作受け付け手段と、外部の装置との間で通信が可能な通信手段と、外部の装置が通信手段により接続されたら、外部の装置のズーム能力を示す情報を取得するための通信を通信手段により行い、ユーザ操作受け付け手段にズーム操作が受け付けられた際に、ズーム能力を示す情報に基づきズーム要求コマンドを外部の装置に送信するように通信手段を制御する制御手段とを有し、制御手段は、ユーザ操作受け付け手段にズーム操作が受け付けられた際に、外部の装置のズーム能力を示す情報が取得されており、且つ、情報がズーム操作に応じたズーム処理が可能であることを示していれば、ズーム操作に応じて、表示手段により表示している映像に係る映像信号に対するズーム処理を要求するズーム要求コマンドを外部の装置に送信し、ズーム要求コマンドに応じて外部の装置より送信されて映像信号入力手段により入力された映像信号に係る映像を表示するように表示手段を制御し、ユーザ操作受け付け手段にズーム操作が受け付けられた際に、外部の装置のズーム能力を示す情報が取得されていないか、または、情報がズーム操作に応じたズーム処理が不可能であることを示していれば、映像信号に対してズーム処理を施して表示するように表示手段を制御することを特徴とする映像表示装置である。
【手続補正５】
【補正対象書類名】明細書
【補正対象項目名】００１７
【補正方法】変更
【補正の内容】
【００１７】
また、第４の発明は、外部の装置から送信された映像信号を入力する映像信号入力手段と、映像信号入力手段により入力された映像信号に係る映像を表示装置に表示する表示手段と、ユーザによるズーム操作を受け付けるユーザ操作受け付け手段と、外部の装置との間で通信が可能な通信手段とを備える映像表示装置の制御方法であって、送信手段が、ズーム操作に応じて、表示手段により表示している映像に係る映像信号に対するズーム処理が外部の装置において可能か否かを問い合わせる問い合わせコマンドを外部の装置に送信する送信ステップと、制御手段が、送信ステップによる問い合わせの結果、外部の装置においてズーム処理が可能であった場合には、映像信号に対するズーム処理を要求するズーム要求コマンドを送信するように通信手段を制御すると共に、ズーム要求コマンドに応じて外部の装置より送信されて映像信号入力手段により入力された映像信号に係る映像を表示するように表示手段を制御し、問い合わせの結果、外部の装置においてズーム処理が不可能であった場合には、映像表示装置において映像信号にズーム処理を施して表示するよう表示手段を制御する制御のステップとを有することを特徴とする映像表示装置の制御方法である。
【手続補正６】
【補正対象書類名】明細書
【補正対象項目名】００１８
【補正方法】変更
【補正の内容】
【００１８】
また、第５の発明は、外部の装置から送信された映像信号を入力する映像信号入力手段と、映像信号入力手段により入力された映像信号に係る映像を表示装置に表示する表示手段と、ユーザによるズーム操作を受け付けるユーザ操作受け付け手段と、外部の装置との間で通信が可能な通信手段とを備える映像表示装置の制御方法であって、送信手段が、ズーム操作に応じて、表示手段により表示している映像に係る映像信号に対するズーム処理を要求するズーム要求コマンドを外部の装置に送信する送信ステップと、制御手段が、ズーム要求コマンドに応じて外部の装置より送信されて映像信号入力手段により入力された映像信号に係る映像を表示するように表示手段を制御し、ズーム要求コマンドの送信に対し、外部の装置からズーム要求コマンドによる処理が失敗した旨を示す通信がなされたら、映像信号に対してズーム処理を施して表示するように表示手段を制御する制御のステップとを有することを特徴とする映像表示装置の制御方法である。
【手続補正７】
【補正対象書類名】明細書
【補正対象項目名】００１９
【補正方法】変更
【補正の内容】
【００１９】
また、第６の発明は、外部の装置から送信された映像信号を入力する映像信号入力手段と、映像信号入力手段により入力された映像信号に係る映像を表示装置に表示する表示手段と、ユーザによるズーム操作を受け付けるユーザ操作受け付け手段と、外部の装置との間で通信が可能な通信手段とを備える映像表示装置の制御方法であって、制御手段が、外部の装置が通信手段により接続されたら、外部の装置のズーム能力を示す情報を取得するための通信を通信手段により外部の装置に対して行う通信ステップと、制御手段が、ユーザ操作受け付け手段によりズーム操作が受け付けられた際に、外部の装置のズーム能力を示す情報が取得されており、且つ、情報がズーム操作に応じたズーム処理が可能であることを示していれば、ズーム操作に応じて、表示手段により表示している映像に係る映像信号に対するズーム処理を要求するズーム要求コマンドを外部の装置に送信し、ズーム要求コマンドに応じて外部の装置より送信されて映像信号入力手段により入力された映像信号に係る映像を表示するように表示手段を制御し、ユーザ操作受け付け手段によりズーム操作が受け付けられた際に、外部の装置のズーム能力を示す情報が取得されていないか、または、情報がズーム操作に応じたズーム処理が不可能であることを示していれば、映像信号に対してズーム処理を施して表示するように表示手段を制御する制御のステップとを有することを特徴とする映像表示装置の制御方法である。
【手続補正８】
【補正対象書類名】明細書
【補正対象項目名】００２０
【補正方法】変更
【補正の内容】
【００２０】
また、第７の発明は、映像信号に対してズーム処理を行うズーム処理手段を有し、映像信号を出力する映像出力装置と、ユーザによるズーム操作を受け付けるユーザ操作受け付け手段と、入力された映像信号に係る映像を表示装置に表示する表示手段とを有する映像表示装置と、映像出力装置から出力された映像信号を映像表示装置に送信する映像信号送信手段と、映像出力装置と映像表示装置との間で通信が可能な通信手段とを備え、映像表示装置は、ズーム操作に応じて、表示手段により表示している映像に係る映像信号に対するズーム処理が映像出力装置において可能か否かを問い合わせる問い合わせコマンドを、通信手段を介して映像出力装置に送信し、映像出力装置は、問い合わせコマンドを受信したら、問い合わせコマンドに応じてズーム処理が映像出力装置において可能か否かを示す情報を、通信手段を介して映像表示装置に送信し、映像表示装置は、ズーム処理が映像出力装置において可能か否かを示す情報を受信したら、情報がズーム処理が映像出力装置において可能であることを示していた場合、映像信号に対するズーム要求コマンドを、通信手段を介して映像出力装置に送信し、映像出力装置は、ズーム要求コマンドを受信したら、ズーム要求コマンドに応じてズーム処理手段により映像信号に対してズーム処理を行って、ズーム処理を行った映像信号を、映像信号送信手段を介して映像表示装置に送信し、映像表示装置は、映像信号送信手段を介して受信されたズーム処理を行った映像信号に係る映像を表示手段に表示することを特徴とする映像表示システムである。
【手続補正９】
【補正対象書類名】明細書
【補正対象項目名】００２１
【補正方法】変更
【補正の内容】
【００２１】
また、第８の発明は、映像信号に対してズーム処理を行うズーム処理手段を有し、映像信号を出力する映像出力装置と、ユーザによるズーム操作を受け付けるユーザ操作受け付け手段と、入力された映像信号に係る映像を表示装置に表示する表示手段とを有する映像表示装置と、映像出力装置から出力された映像信号を映像表示装置に送信する映像信号送信手段と、映像出力装置と映像表示装置との間で通信が可能な通信手段とを備え、映像表示装置は、ズーム操作に応じて、表示手段により表示している映像に係る映像信号に対するズーム処理を要求するズーム要求コマンドを、通信手段を介して映像出力装置に送信し、映像出力装置は、ズーム要求コマンドを受信したら、ズーム要求コマンドに応じてズーム処理手段により映像信号に対してズーム処理を行いズーム処理が成功したらズーム処理を行った映像信号を、映像信号送信手段を介して映像表示装置に送信し、ズーム処理が失敗したらその旨を示す通信を通信手段により映像表示装置に対して行い、映像表示装置は、映像信号送信手段を介して受信された、ズーム要求コマンドに応じてズーム処理を行った映像信号に係る映像を表示するように表示手段を制御し、ズーム要求コマンドの送信に対し、通信手段によりズーム処理が失敗した旨を示す通信がなされたら、映像信号に対してズーム処理を施して表示するように表示手段を制御することを特徴とする映像表示システムである。
【手続補正１０】
【補正対象書類名】明細書
【補正対象項目名】００２２
【補正方法】変更
【補正の内容】
【００２２】
また、第９の発明は、映像信号に対してズーム処理を行うズーム処理手段を有し、映像信号を出力する映像出力装置と、ユーザによるズーム操作を受け付けるユーザ操作受け付け手段と、入力された映像信号に係る映像を表示装置に表示する表示手段とを有する映像表示装置と、映像出力装置から出力された映像信号を映像表示装置に送信する映像信号送信手段と、映像出力装置と映像表示装置との間で通信が可能な通信手段とを備え、映像表示装置は、映像出力装置が通信手段により接続されたら、映像出力装置のズーム能力を示す情報を取得するための通信を通信手段により映像出力装置に対して行い、映像出力装置は、ズーム能力を有していれば、通信に応じてズーム能力を示す情報を、通信手段を介して映像表示装置に対して送信し、映像表示装置は、ユーザ操作受け付け手段にズーム操作が受け付けられた際に、映像出力装置のズーム能力を示す情報が取得されており、且つ、情報がズーム操作に応じたズーム処理が可能であることを示していれば、ズーム操作に応じて、表示手段により表示している映像に係る映像信号に対するズーム処理を要求するズーム要求コマンドを映像出力装置に送信し、映像信号送信手段を介して受信された、ズーム要求コマンドに応じてズーム処理を行った映像信号に係る映像を表示するように表示手段を制御し、ユーザ操作受け付け手段にズーム操作が受け付けられた際に、映像出力装置のズーム能力を示す情報が取得されていないか、または、情報がズーム操作に応じたズーム処理が不可能であることを示していれば、映像信号に対してズーム処理を施して表示するように表示手段を制御することを特徴とする映像表示システムである。
【手続補正１１】
【補正対象書類名】明細書
【補正対象項目名】００２３
【補正方法】変更
【補正の内容】
【００２３】
また、第１０の発明は、映像信号に対してズーム処理を行うズーム処理手段を有し、映像信号を出力する映像出力装置と、ユーザによるズーム操作を受け付けるユーザ操作受け付け手段と、入力された映像信号に係る映像を表示装置に表示する表示手段とを有する映像表示装置と、映像出力装置から出力された映像信号を映像表示装置に送信する映像信号送信手段と、映像出力装置と映像表示装置との間で通信が可能な通信手段とを備えた映像表示システムの映像表示制御方法であって、映像表示装置は、ズーム操作に応じて、表示手段により表示している映像に係る映像信号に対するズーム処理が映像出力装置において可能か否かを問い合わせる問い合わせコマンドを、通信手段を介して映像出力装置に送信し、映像出力装置は、問い合わせコマンドを受信したら、問い合わせコマンドに応じてズーム処理が映像出力装置において可能か否かを示す情報を、通信手段を介して映像表示装置に送信し、映像表示装置は、映像出力装置においてズーム処理が可能か否かを示す情報を受信したら、情報が映像出力装置においてズーム処理が可能であることを示していた場合、映像信号に対するズーム要求コマンドを、通信手段を介して映像出力装置に送信し、映像出力装置は、ズーム要求コマンドを受信したら、ズーム要求コマンドに応じてズーム処理手段により映像信号に対してズーム処理を行って、ズーム処理を行った映像信号を、映像信号送信手段を介して映像表示装置に送信し、映像表示装置は、映像信号送信手段を介して受信されたズーム処理を行った映像信号を表示手段に表示することを特徴とする映像表示制御方法である。
【手続補正１２】
【補正対象書類名】明細書
【補正対象項目名】００２４
【補正方法】変更
【補正の内容】
【００２４】
また、第１１の発明は、映像信号に対してズーム処理を行うズーム処理手段を有し、映像信号を出力する映像出力装置と、ユーザによるズーム操作を受け付けるユーザ操作受け付け手段と、入力された映像信号に係る映像を表示装置に表示する表示手段とを有する映像表示装置と、映像出力装置から出力された映像信号を映像表示装置に送信する映像信号送信手段と、映像出力装置と映像表示装置との間で通信が可能な通信手段とを備えた映像表示システムの映像表示制御方法であって、映像表示装置は、ズーム操作に応じて、表示手段により表示している映像に係る映像信号に対するズーム処理を要求するズーム要求コマンドを、通信手段を介して映像出力装置に送信し、映像出力装置は、ズーム要求コマンドを受信したら、ズーム要求コマンドに応じてズーム処理手段により映像信号に対してズーム処理を行いズーム処理が成功したらズーム処理を行った映像信号を、映像信号送信手段を介して映像表示装置に送信し、ズーム処理が失敗したらその旨を示す通信を通信手段により映像表示装置に対して行い、映像表示装置は、映像信号送信手段を介して受信された、ズーム要求コマンドに応じてズーム処理を行った映像信号に係る映像を表示するように表示手段を制御し、ズーム要求コマンドの送信に対し、通信手段によりズーム処理が失敗した旨を示す通信がなされたら、映像信号に対してズーム処理を施して表示するように表示手段を制御することを特徴とする映像表示制御方法である。
【手続補正１３】
【補正対象書類名】明細書
【補正対象項目名】００２５
【補正方法】変更
【補正の内容】
【００２５】
また、第１２の発明は、映像信号に対してズーム処理を行うズーム処理手段を有し、映像信号を出力する映像出力装置と、ユーザによるズーム操作を受け付けるユーザ操作受け付け手段と、入力された映像信号に係る映像を表示装置に表示する表示手段とを有する映像表示装置と、映像出力装置から出力された映像信号を映像表示装置に送信する映像信号送信手段と、映像出力装置と映像表示装置との間で通信が可能な通信手段とを備えた映像表示システムの映像表示制御方法であって、映像表示装置は、映像出力装置が通信手段により接続されたら、映像出力装置のズーム能力を示す情報を取得するための通信を通信手段により映像出力装置に対して行い、映像出力装置は、ズーム能力を有していれば、通信に応じてズーム能力を示す情報を、通信手段を介して映像表示装置に対して送信し、映像表示装置は、ユーザ操作受け付け手段にズーム操作が受け付けられた際に、映像出力装置のズーム能力を示す情報が取得されており、且つ、情報がズーム操作に応じたズーム処理が可能であることを示していれば、ズーム操作に応じて、表示手段により表示している映像に係る映像信号に対するズーム処理を要求するズーム要求コマンドを映像出力装置に対して送信し、映像信号送信手段を介して受信された、ズーム要求コマンドに応じてズーム処理を行った映像信号に係る映像を表示するように表示手段を制御し、ユーザ操作受け付け手段にズーム操作が受け付けられた際に、映像出力装置のズーム能力を示す情報が取得されていないか、または、情報がズーム操作に応じたズーム処理が不可能であることを示していれば、映像信号に対してズーム処理を施して表示するように表示手段を制御することを特徴とする映像表示制御方法である。